(57)【特許請求の範囲】
【請求項１】
吊り戸の上端角部に切り欠き形成された凹部と、当該凹部内に嵌合固着されたケーシングと、着脱自在の吊りローラーユニットとから成り、前記吊りローラーユニットは、前記ケーシングに対して水平方向にのみ嵌合離脱自在に内装される本体と、前記ケーシングの上端開放部から上方に突出するように前記本体に設けられた吊りローラーとから成り、前記ケーシングには、その側壁部の側端縁から切り込み形成された鉤形の本体抜け止め用係止溝が設けられ、前記吊りローラーユニットの本体には、その側面から突出して前記ケーシングの本体抜け止め用係止溝に自動係合する係止突起を備えた一定範囲内昇降自在な昇降体と、この昇降体を上昇方向に付勢するスプリングと、当該昇降体を梃子作用により押圧下降させる操作レバーとが設けられ、前記吊りローラーユニットの吊りローラーは、前記本体に昇降自在に支持された昇降ロッドの上端に取り付けられ、前記昇降ロッドの下端は、前記本体に前記ケーシングに対する嵌脱方向と平行で自転のみ可能に支承された螺軸に螺嵌する雌ねじ体に斜めの連結リンクを介して連動連結され、前記操作レバーと前記螺軸の回転操作部とは、前記ケーシングの側端開放部を閉塞する前記本体の端面側より操作し得るようにした吊り戸の吊りローラーユニット支持装置において、前記スプリングが、前記昇降体と前記螺軸との間に介装され、当該螺軸がスプリング受けを兼用している、吊り戸の吊りローラーユニット支持装置。
【請求項２】
前記昇降体は、前記係止突起を備えた垂直部と、この垂直部の下端から外方に延出する水平部とから成り、前記操作レバーは、前記昇降体の水平部上に当接する水平部とその外端から上方に延出する垂直部とから成るもので、前記水平部の遊端が軸支されるとともに、垂直部の内側が前記本体側のストッパー部に当接することにより、スプリングで付勢された前記昇降体を上昇限位置に保持するようにした、請求項１に記載の吊り戸の吊りローラーユニット支持装置。
【請求項３】
吊り戸の上端角部に切り欠き形成された凹部と、当該凹部内に嵌合固着されたケーシングと、着脱自在の吊りローラーユニットとから成り、前記吊りローラーユニットは、前記ケーシングに対して水平方向にのみ嵌合離脱自在に内装される本体と、前記ケーシングの上端開放部から上方に突出するように前記本体に設けられた吊りローラーとから成り、前記ケーシングには、その側壁部の側端縁から切り込み形成された鉤形の本体抜け止め用係止溝が設けられ、前記吊りローラーユニットの本体には、その側面から突出して前記ケーシングの本体抜け止め用係止溝に自動係合する係止突起を備えた一定範囲内昇降自在な昇降体と、この昇降体を上昇方向に付勢するスプリングと、当該昇降体を梃子作用により押圧下降させる操作レバーとが設けられ、前記吊りローラーユニットの吊りローラーは、前記本体に昇降自在に支持された昇降ロッドの上端に取り付けられ、前記昇降ロッドの下端は、前記本体に前記ケーシングに対する嵌脱方向と平行で自転のみ可能に支承された螺軸に螺嵌する雌ねじ体に斜めの連結リンクを介して連動連結され、前記操作レバーと前記螺軸の回転操作部とは、前記ケーシングの側端開放部を閉塞する前記本体の端面側より操作し得るようにした吊り戸の吊りローラーユニット支持装置において、前記昇降体は、前記係止突起を備えた垂直部と、この垂直部の下端から外方に延出する水平部とから成り、前記操作レバーは、前記昇降体の水平部上に当接する水平部とその外端から上方に延出する垂直部とから成るもので、前記水平部の遊端が軸支されるとともに、垂直部の内側が前記本体側のストッパー部に当接することにより、スプリングで付勢された前記昇降体を上昇限位置に保持するようにした、吊り戸の吊りローラーユニット支持装置。
【発明の詳細な説明】
【０００１】
【発明の属する技術分野】
本発明は、折れ戸形式や引き戸形式などの各種吊り戸に使用される吊りローラーユニットの支持装置に関するものである。
【０００２】
【従来の技術及びその問題点】
吊り戸の吊りローラーユニットは、吊り戸の上端角部に着脱自在に取り付けられるものであるが、吊り戸に対する吊りローラーの高さ調整、換言すれば、吊り戸の吊下げ高さの調整が可能な従来のこの種の吊りローラーユニットは、例えば実開平２−２０６７３号公報に開示されるように、吊りローラーを支持する垂直な螺軸を回転操作してロックナットを締結する形式のもので、その操作が非常に行い難いものであった。
【０００３】
また、ワンタッチで吊りローラーユニットを吊り戸側に取り付けることができるようにしたものも、例えば特開平７−９１１３４号公報などにより知られているが、従来のこの種の吊りローラーユニット支持装置では、取り付けた吊りローラーユニットを吊り戸から取り外すとき、当該吊りローラーユニットを吊り戸側のケーシングに係合させる係止片を直接指先で押し下げ操作しなければならず、やはりその操作は容易でなかった。
【０００４】
【課題を解決するための手段】
本発明は上記のような従来の問題点を解消し得る吊り戸の吊りローラーユニット支持装置を提供することを目的とするものであって、その手段を後述する実施形態の参照符号を付して示すと、吊り戸９の上端角部に切り欠き形成された凹部１０と、当該凹部１０内に嵌合固着されたケーシング１と、着脱自在の吊りローラーユニット２とから成り、前記吊りローラーユニット２は、前記ケーシング１に対して水平方向にのみ嵌合離脱自在に内装される本体１２と、前記ケーシング１の上端開放部から上方に突出するように前記本体１２に設けられた吊りローラー１３とから成り、前記ケーシング１には、その側壁部３の側端縁３ａから切り込み形成された鉤形の本体抜け止め用係止溝７，８が設けられ、前記吊りローラーユニット２の本体１２には、その側面から突出して前記ケーシング１の本体抜け止め用係止溝７，８に自動係合する係止突起１９，２０を備えた一定範囲内昇降自在な昇降体１５と、この昇降体１５を上昇方向に付勢するスプリング１６と、当該昇降体１５を梃子作用により押圧下降させる操作レバー１７とが設けられ、前記吊りローラーユニット２の吊りローラー１３は、前記本体１２に昇降自在に支持された昇降ロッド２５の上端に取り付けられ、前記昇降ロッド２５の下端は、前記本体１２に前記ケーシング１に対する嵌脱方向と平行で自転のみ可能に支承された螺軸２８に螺嵌する雌ねじ体３０に斜めの連結リンク３３を介して連動連結され、前記操作レバー１７と前記螺軸２８の回転操作部２８ａとは、前記ケーシング１の側端開放部を閉塞する前記本体１２の端面側より操作し得るようにした吊り戸の吊りローラーユニット支持装置において、前記スプリング１６が、前記昇降体１５と前記螺軸２８との間に介装され、当該螺軸２８がスプリング受けを兼用する構成となっている。
【０００５】
なお、前記昇降体１５は、前記係止突起１９，２０を備えた垂直部１５ａと、この垂直部１５ａの下端から外方に延出する水平部１５ｂとから構成し、前記操作レバー１７は、前記昇降体１５の水平部１５ｂ上に当接し且つ遊端が軸支された水平部１７ａと、当該水平部１７ａの外端から上方に延出する垂直部１７ｂとから構成して、前記垂直部１７ｂの内側が前記本体１２側のストッパー部２２に当接することにより、スプリング１６で付勢された前記昇降体１５を上昇限位置に保持するように構成することができる。
【０００６】
【発明の実施の形態】
以下に本発明の好適実施形態を添付図に基づいて説明すると、１はケーシング、２は吊りローラーユニットである。ケーシング１は、金属板をＵ字形に曲げ加工して、左右両側壁部３と半円形底部４とを形成するとともに、両側壁部３の後端縁から突設した突出板部分を内側に折曲するとともに互いに重ね合わせて後側壁部５を形成し、さらに後側壁部５の内側の板部分の上端と左右両側壁部３の上端とから本体係止用突条片６を内側に折曲連設して成るもので、左右両側壁部３の側端縁３ａには、上下２段に鉤形の本体抜け止め用係止溝７，８が設けられている。この鉤形の本体抜け止め用係止溝７，８は、入口上辺に斜め外方上方に傾斜した導入ガイド部７ａ，８ａが設けられ、奥端から上向きに係止部７ｂ，８ｂが連設されたものである。
【０００７】
吊り戸９の上端角部には、その側端面９ａと上端面９ｂとに開放するように、当該吊り戸９の表裏両面と平行に吊りローラーユニット取付用凹部１０が形成されている。この凹部１０内に前記ケーシング１が嵌合され、当該凹部１０の半円形底面にケーシング１の半円形底部４が２本のねじ１１ａにより固着されるとともに、凹部１０の奥端面にケーシング１０の後側壁部５が１本のねじ１１ｂにより固着されている。
【０００８】
吊りローラーユニット２は、本体１２と吊りローラー１３とから構成されている。本体１２は、前記ケーシング１の側端開放部から当該ケーシング１内に嵌入されるもので、ケーシング１内に奥端まで嵌入させたとき、本体係止用突条片６の内側に係合する上端面１２ａと、ケーシング１の両側壁部３の側端縁３ａに当接する段面１４ａを備え且つ表面が吊り戸９の側端面９ａと面一になる状態で吊り戸９の凹部１０の側端開放部を閉塞するフランジ部１４とを有する。
【０００９】
前記本体１２には、昇降体１５、スプリング１６、及び操作レバー１７が内装されている。昇降体１５は、本体１２の左右両側面に形成された昇降ガイド溝１８から突出して前記ケーシング１の本体抜け止め用係止溝７，８に自動係合する上下２段の係止突起１９，２０を備えた垂直部１５ａと、この垂直部１５ａの下端からケーシング１の側端開放部側へ水平に延出する水平部１５ｂとを備えた略Ｌ形のもので、スプリング１６は前記水平部１５ｂを下から上向きに押し上げる。操作レバー１７は、前記昇降体１５の水平部１５ｂの上側に位置し且つ遊端部が支軸２１により枢着された水平部１７ａと、この水平部１７ａの遊端から上方に延出する垂直部１７ｂとから成る略Ｌ形のもので、当該垂直部１７ｂの上端近傍内側面が本体１２側に形成されたストッパー部２２に当接したとき、当該垂直部１７ｂの外側面が本体１２のフランジ部１４の外側面と略面一になり、係る状態で、スプリング１６により上昇方向に付勢された前記昇降体１５を、操作レバー１７の水平部１７ａと昇降体１５の水平部１５ｂとの当接により、上昇限位置に保持している。
【００１０】
前記吊りローラー１３は、前記本体１２の後端近傍位置に昇降自在に支持された昇降ロッド２５の上端に取り付けられたもので、ローラー軸支部材２６の左右両側にローラー２７を軸支したものである。前記本体１２の下端近傍位置には、前記ケーシング１に対する本体１２の嵌脱方向と平行な螺軸２８が内装されている。この螺軸２８は、その一端の回転操作用頭部２８ａと他端の軸端２８ｂとが本体１２側の支承部２９ａ，２９ｂにより自転のみ可能に支承されたもので、当該螺軸２８の螺軸部２８ｃに螺嵌された雌ねじ体３０と前記昇降ロッド２５の下端とに、斜めの連結リンク３１の両端がピン３２，３３により枢着され、この連結リンク３１を介して前記雌ねじ体３０と昇降ロッド２５とが連動連結されている。前記螺軸２８の回転操作用頭部２８ａは、本体１２のフランジ部１４の外側から回転操作することができる。
【００１１】
なお、連結リンク３１と昇降ロッド２５とを結合するピン３２の両端は、本体１２の両側面に形成された昇降ガイド溝３４に遊嵌している。また、前記昇降体１５を上昇方向に付勢しているスプリング１６の下端は、前記螺軸２８によって受け止められており、この螺軸２８がスプリング受けを兼用している。
【００１２】
吊りローラーユニット２の取り付け方法を説明すると、図１に示すように、吊り戸９の凹部１０内に内嵌固着されたケーシング１内に吊りローラーユニット２の本体１２を、当該ケーシング１の側端開放部より水平に嵌入させる。この嵌入過程において、本体１２の昇降ガイド溝１８から左右両側に突出している上下２段の係止突起１９，２０がケーシング１側の本体抜け止め用係止溝７，８の導入ガイド部７ａ，８ａによって押し下げられることにより昇降体１５がスプリング１６の付勢力に抗して下降し、本体１２がケーシング１内の奥端位置に達したとき、係止突起１９，２０が本体抜け止め用係止溝７，８の係止部７ｂ，８ｂに達して、昇降体１５がスプリング１６の付勢力により上昇限位置まで上昇し、図２に示すように係止突起１９，２０が本体抜け止め用係止溝７，８の係止部７ｂ，８ｂに嵌合し、本体１２がケーシング１に対し固定される。
【００１３】
吊りローラーユニット２は、吊り戸９に取り付ける前に、図３に仮想線で示す吊り戸吊下げ案内用ガイドレール４０にローラー２７を介して予め係合せしめられている。この状態の吊りローラーユニット２を上記のように吊り戸９の上端角部に内装したケーシング１に内嵌固定することにより、吊り戸９の上端角部が前記吊り戸吊下げ案内用ガイドレール４０に移動可能に吊り下げられることになる。このとき、吊りローラーユニット２に作用する吊り戸９側の荷重は、ケーシング１の上端周囲に形成された本体係止用突条片６を介して本体１２の上端面１２ａにより受け止められる。
【００１４】
吊りローラーユニット２により吊り下げた吊り戸９の吊下げ高さを調整する必要が生じたときは、図３に示すように吊り戸９の側端面９ａ側において、本体１２のフランジ部１４の表面に露出している（突出していない）螺軸２８の回転操作用頭部２８ａをドライバーなどで正逆回転操作し、図４に示す螺軸２８を正逆回転させて雌ねじ体３０を前後進移動させる。この結果、連結リンク３１により昇降ロッド２５が押し上げられて吊り戸９の上端とローラー２７との間の間隔が広がり、吊り戸９が下降するかまたは、連結リンク３１により昇降ロッド２５が引下げられて吊り戸９の上端とローラー２７との間の間隔が狭まり、吊り戸９が上昇することになる。吊り戸９の荷重は、雌ねじ体３０を螺軸２８の軸心方向に引っ張る方向に作用するので、当該雌ねじ体３０と螺軸部２８ｃとの間の摩擦力や回転操作用頭部２８ａと本体１２側の支承部２９ａとの間の摩擦力は大きく、さらにスプリング１６の付勢力が螺軸２８に作用しているので、螺軸２８が不測に回転する可能性、即ち、吊り戸９の吊り高さが不測に変わる恐れはない。
【００１５】
吊り戸９から吊りローラーユニット２を取り外すときは、図７に示すように、操作レバー１７を、その垂直部１７ｂの上端に指先を掛けて手前に引下げるように支軸２１の周りに回動させる。この結果、当該操作レバー１７の水平部１７ａが梃子作用で昇降体１５の水平部１５ｂをスプリング１６の付勢力に抗して押し下げることになり、当該昇降体１５の左右両側の係止突起１９，２０が、ケーシング１側の本体抜け止め用係止溝７，８の係止部７ｂ，８ｂから下方に離脱するので、この状態で、前記操作レバー１７を利用して本体１２をケーシング１から水平外方に引き抜くことができる。
【００１６】
【発明の効果】
以上のように実施し得る本発明の吊り戸の吊りローラーユニット支持装置によれば、吊り戸の上端角部に切り欠き形成された凹部内にケーシングを嵌合固着させておけば、吊りローラーユニットの本体を当該ケーシングに対して水平方向に嵌合させるだけのワンタッチ操作で、吊りローラーユニットを吊り戸の上端角部に取り付けることができる。また、吊りローラーユニットの取り外しも、当該本体の操作レバーを操作して、梃子作用で本体内の昇降体を押し下げるだけで、吊りローラーユニットをケーシングから引き抜くことができ、前記昇降体を直接指先で押し下げる場合と比較して操作が軽く容易に行える。
【００１７】
即ち、吊りローラーユニットの取り付け取り外しが極めて簡単容易に行えるものであるが、さらに本発明装置によれば、螺軸の回転操作部を吊り戸の側端面より適当な工具で回転操作するだけで、吊り戸と吊りローラーとの間の間隔を変えて、吊り戸の吊り高さを自在に調整することができる。しかも、この螺軸は吊りローラーを支持している昇降ロッドとは直交する向きにあって、当該螺軸に螺嵌している雌ねじ体と前記昇降ロッドとは斜めの連結リンクにより連動連結されているので、螺軸の向きが回転操作に都合の良い向きになるだけでなく、螺軸が振動などで回転して、吊り戸の吊り高さが不測に変動してしまう恐れは極減し、特に螺軸をロックするロックナットなどを併用する必要もなくなり、この点でも操作性が改善される。
【００１８】
更に本発明の構成によれば、前記昇降体を上昇向きに付勢するスプリングの付勢力が前記螺軸に対する制動手段として働き、当該螺軸が不測に回転するのをより一層確実に防止することができる。
【００１９】
又、請求項２に記載の構成によれば、梃子作用で昇降体を押し下げるための操作レバーを別に設けているにもかかわらず、当該操作レバーにより昇降体を上昇限位置で受け止めることになり、当該操作レバーが振動などでがたつくことがなくなり、無用な騒音を発生させないで済む。
【図面の簡単な説明】
【図１】  ケーシングの取り付け状態を示す縦断側面図と、吊りローラーユニットの側面図である。
【図２】  吊りローラーユニットの取り付け状態を示す一部縦断側面図である。
【図３】  吊りローラーユニットが取り付けられた吊り戸の上端部を示す正面図である。
【図４】  図２の拡大縦断側面図である。
【図５】  図４のＡ−Ａ線断面図である。
【図６】  図４のＢ−Ｂ線断面図である。
【図７】  吊りローラーユニットを取り外すときの操作状態を示す一部縦断側面図である。
【符号の説明】
１      ケーシング
２      吊りローラーユニット
３      ケーシングの両側壁部
３ａ    ケーシングの両側壁部の側端縁
９      吊り戸
１０    凹部
１２    吊りローラーユニットの本体
１３    吊りローラー
７，８  鉤形の本体抜け止め用係止溝
１５    昇降体
１５ａ  昇降体の垂直部
１５ｂ  昇降体の水平部
１６    スプリング
１７    操作レバー
１７ａ  操作レバーの水平部
１７ｂ  操作レバーの垂直部
１９，２０  係止突起
２２    操作レバーに対する本体側のストッパー部
２５    昇降ロッド
２８    螺軸
２８ａ  螺軸の回転操作用頭部
３０    雌ねじ体
３３    連結リンク
【図１】
0004111608.tif 000002
【図２】
0004111608.tif 000003
【図３】
0004111608.tif 000004
【図４】
0004111608.tif 000005
【図５】
0004111608.tif 000006
【図６】
0004111608.tif 000007
【図７】
0004111608.tif 000008